Podtech/llm-jp-corpus-v4-ja_patent huggingface dataset:
(57)【要約】【課題】  「ほうひん」或いは「しぼり」と呼称される茶注は、取り扱いの簡便さから長年親しまれてきた茶注であるが、その抽出口は胴体に設けられた茶漉し溝のみであるため、目詰まりを起こしやすく、お茶が円滑に抽出されない場合が多く、胴体部内に抽出液が残るため、抽出液の味わいが損なわれることもある。そこで本考案は、細かな茶葉でも目詰まりをおこさないような構造とし、抽出液を円滑に出すことのできる茶注の提供が課題である。【解決手段】  本考案は、従来から「ほうひん」或いは「しぼり」との呼称で使用されてきた茶注と同様に、胴体と蓋で構成される。しかし本考案では、蓋２内側に茶漉し６を取り付け、同時に蓋側に抽出口７を設けた。このような蓋の構造によって抽出口が大きくなり、抽出液を円滑に出す機能を向上させた。同時に、茶漉し付きという新たな蓋の構造によって、目詰まりすることなく茶の抽出を円滑に出し切ることが可能となった。【実用新案登録請求の範囲】
【請求項１】
蓋２の内側に茶漉し６を取り付け、同時に蓋２に抽出口７を設けたことを特徴とする茶漉し付き蓋２及び胴体部１で構成される茶注。
【請求項２】
請求項１において、胴体部１に注ぎ口４及び茶漉し溝８を設けた茶注
【請求項３】
請求項１及び請求項２の茶漉し６は網状であり、蓋２内側に固定されている。
【考案の詳細な説明】
【技術分野】
【０００１】
お茶（紅茶、緑茶、烏龍茶など）をいれる際に使用する茶注の重要な機能は、抽出液を茶注から注ぎ出すことにおいて円滑であって、しかも抽出液を茶注内に残さないように可能な限り最後まで出し切れることである。本考案は、細かな茶葉でも目詰まりをおこさず、抽出液を円滑に出し切ることの可能な茶注に関するものである。
【背景技術】
【０００２】
従来から使用されているものの中に、本考案の茶注と外形上において近似したものに、「ほうひん」或いは「しぼり」と呼ばれる茶注がある。これらは胴体部に注ぎ口を有し、その注ぎ口に至る蓋を置く棚の部分に茶漉し溝が複数本設けられている。蓋に特別な構造はなく、抽出液を注ぐ際には、蓋をすることによって、茶漉し溝を管とする働きをする。茶葉をそこで留め、それら溝を通して抽出液を注ぐ、という機能となっている。
【０００３】
「ほうひん」や「しぼり」に設けられた茶漉し溝の断面積は小さく、それにも関わらず抽出液を出す部分はその茶漉し溝のみであるから、抽出液が出切る前に茶葉による目詰まりが生じ、抽出液が円滑に出ることを妨げ、また茶注には抽出液が残るなどの問題があった。このような問題はあったが、取り扱いにおいて簡便であるため、伝統的に茶注として使用されてきた。
【考案の開示】
【考案が解決しようとする課題】
【０００４】
「ほうひん」或いは「しぼり」と呼ばれる茶注にあっては、抽出部はその胴体部に設けられた茶漉し溝のみであるため、抽出口としては断面積は小さく、このため目詰まりを起こしやすく、抽出に時間を要するため、或いは胴体内に抽出液が残るため、抽出液の味わいが損なわれることが多い。
【０００５】
そこで本考案は、取り扱いが容易でありながら、細かな茶葉でも目詰まりをおこさないような構造とし、抽出液を円滑に出すことのできる茶注を提供することを課題とする考案である。
【課題を解決するための手段】
【０００６】
以上の課題を解決するために、本考案は、蓋２においてその内側に茶漉し６を取り付け、同時に蓋２側に抽出口７を設けた構造とした。これによって大きな口径の抽出口７を得ることが出来、円滑に抽出することが可能となった。
【０００７】
更に、茶漉し６及び抽出口７を有する蓋２に加えて、従来の「ほうひん」或いは「しぼり」のように胴体部１に茶漉し溝８を設けることによって、より一層円滑に抽出液を得ることが出来、しかも胴体部１に抽出液をほとんど残すことなく、抽出液を絞り出すことが可能である。
【実施例】
【０００８】
本考案によれば、図に示す茶注の蓋２内側には、多数の小穴があけられた茶漉し６が、その外周縁で蓋２内側と固定されている。茶漉し６によって覆われた蓋２の一部には抽出のための穴、蓋抽出口７が設けられている。
【０００９】
蓋２は胴体蓋受け棚部９で着脱され、使用時には胴体注ぎ口４の位置と胴体蓋受け棚部９に掘られた茶漉し溝８、蓋抽出口７が近接するので、抽出液は注ぎ口４からまとめて出る。
【００１０】
抽出液を得られる出口部が、蓋抽出口７及び茶漉し溝８となっているため、抽出液を円滑に早く得ることが出来るようになった。しかも、茶漉し６の効果のため目詰まりによって抽出を妨げられることも無くなった。茶を抽出する場合、最後の方に出てくる抽出液をゴールデンドロップと言い、お茶の味わいを高める抽出液であると言われる。本考案の茶注は、残液がほとんど無いほど円滑に抽出することが出来、ゴールデンドロップを楽しむことの出来る茶注である。
【図面の簡単な説明】
【００１１】
【図１】茶漉し付き蓋を有する茶注の断面図である。
【図２】茶漉し付き蓋２の表側と内側の図である。
【図３】茶漉し付き蓋を有する茶注の、蓋２と胴体部１の俯瞰図である。
【符号の説明】
【００１２】
１胴体部
２蓋
３蓋ツマミ
４注ぎ口
５胴体外周縁
６蓋内側茶漉し
７蓋抽出口
８胴体茶漉し溝
９胴体蓋受け棚部
【図１】
0003115989.tif 000002
【図２】
0003115989.tif 000003
【図３】
0003115989.tif 000004
(57)【要約】【課題】より自然な温熱感や健康促進機能を持たせた使い勝手の良いサウナユニットを提供する。【解決手段】ヒーター１と椅子２を備えたボックス型サウナユニットにおいて、その椅子上面ないし内装面に薬石類３を配設して、本考案のサウナユニットＡとする。特にサウナユニットＡの隣に仕切ドア４を介してボックス型シャワー室Ｂを並設し、両者を一体化ユニットにして本考案のサウナユニットＡＢとする。【選択図】図２
0003115981.tif 000002
【実用新案登録請求の範囲】
【請求項１】
ヒーターと椅子を備えたボックス型サウナユニットにおいて、その椅子上面ないし内装面に薬石類を配設したことを特徴とするサウナユニット。
【請求項２】
請求項１記載のサウナユニットの隣に仕切ドアを介してボックス型シャワー室を並設し、両者を一体化ユニットにしたことを特徴とするサウナユニット。
【考案の詳細な説明】
【技術分野】
【０００１】この考案は、ヒーターと椅子を備えたボックス型サウナユニットに関する。
【背景技術】
【０００２】サウナを家庭などで手軽に体験できるとして、ヒーターと椅子を備えたボックス型サウナ装置が既に製品化され市販されているのは周知の通りである。これは略電話ボックス状の外観を呈したものが多く、熱源としては遠赤外線ヒーターが主に使われ、最近では炭素繊維などによる面状ヒーターを床内などに埋め込む手法がとられている。これらは一般にサウナユニットと呼称されている。
【考案の開示】
【考案が解決しようとする課題】
【０００３】このような在来のサウナユニットは健康上の作用効果が期待され、それなりの成果もあげている。しかしながら所定時間ボックス内で身をまかせる使用者にとっては、より一層の効果や居心地、或いは使い勝手の良さなどが望まれることは言うまでもない。特に遠赤外線ヒーターといってもその作用は依然として直接的かつ人工的な感じは否めず、終了後に浴室で浴びるシャワーが家庭ではいちいち面倒であるなどの問題点もあった。【０００４】本考案はかかる問題点を解決して、より自然な温熱感や健康促進機能を持たせた使い勝手の良いサウナユニットを提供することを課題とする。
【課題を解決するための手段】
【０００５】ヒーター１と椅子２を備えたボックス型サウナユニットにおいて、その椅子上面ないし内装面に薬石類３を配設して、本考案のサウナユニットＡとする。【０００６】特にサウナユニットＡの隣に仕切ドア４を介してボックス型シャワー室Ｂを並設し、両者を一体化ユニットにして本考案のサウナユニットＡＢとする。【０００７】薬石類３は広義に解するものとし、例えば段戸石、麦飯石、医王石、磁性体、トルマリン、磁性体、火山れき、遠赤外線放出性鉱物、放射性ホルミシス鉱物、或いはこれらを焼成したセラミックス成形物などが挙げられる。いずれの場合も広い意味での健康促進をはかる機能を有するとされるものである。その健康促進機能を説明する理論的根拠としては、マイナスイオン、遠赤外線、放射線ホルミシス効果、イオン化ミネラル、活性水素、生体電流に対する磁気作用などが言われている。【０００８】ボックス型シャワー室Ｂ内には通常のシャワー器具５が設けられ、給水及び排水パイプ（図示せず）が接続される。
【考案の効果】
【０００９】本考案のサウナユニットはこのような構成であるから、ユーザーはその中でサウナを体感する際、従来のようにただヒーターで直接的に加熱されるのみでなく、薬石類のもつ前記のような様々な健康促進機能を同時に自然な形で享受でき、またそれによる発汗や薬石成分などを使用後に隣のシャワー室で速やかに洗い流すことができるから、ホーム用としても甚だ使い勝手の良いものになるなどの効果がある。
【考案を実施するための最良の形態】
【００１０】図面のように内壁に桧板やタイル板を設けた略電話ボックス体を二つ並べて両者を仕切ドア４で開閉可能状に仕切り、片方には箱状の椅子２を設けてその上面を板状の段戸石（愛知県段戸山産）で覆い、床はＦＲＰで形成してその中にカーボンから成る面状のヒーター１を埋め込むとともに、同じく切片板状の段戸石を多数その上面が露出するように埋め込んでサウナユニットＡ部とし、他方にはシャワー器具５を設けるとともに給水管及び排水管を接続してこれをシャワー室Ｂとし、両者から成る本考案のサウナユニットＡＢとする。なお様々な派生的形態、デザインがあることは言うまでもない。
【産業上の利用可能性】
【００１１】このような本考案のサウナユニットは、ユーザーにとって健康促進や居心地などに加えてホーム用として使い勝手が良く歓迎されやすいものであり、製造も現実的に可能なものであるから、産業上の利用可能性は十分であるといえる。
【図面の簡単な説明】
【００１２】
【図１】本考案一例の外観見取図
【図２】本考案一例の手前壁面と天井面を外し内部外観を示す見取図
【符号の説明】
【００１３】  １……ヒーター
２……椅子
３……薬石類
４……仕切ドア
５……シャワー器具
Ａ，ＡＢ……サウナユニット
Ｂ……シャワー室
【図１】
0003115981.tif 000003
【図２】
0003115981.tif 000004
(57)【要約】【課題】通常エプロン教材を製作する時は、「縫い」と「裁断」の技術を学ぶ事が主な目的である為、生徒個々人が個性を出す事は難しかった。したがって、本考案はこうした生徒個々人の個性を活かし、生徒がさらに実習に興味や楽しさを持てるようにした。【解決手段】そこで、本考案は生徒が一人一人、自分の考えでエプロンをアレンジできるようにアイロンワッペン（転写シート）やビーズ（付属品）をまとめて添付し、生徒個々人が好みに合わせて、アイロンワッペン（転写シート）やビーズを取捨選択しアレンジする事ができる。【選択図】図２
0003115928.tif 000002
【実用新案登録請求の範囲】
【請求項１】
学校の家庭科で被服製作の実習をする際の教材である「エプロン」に付属品の中からアイロンワッペン（転写シート）やビーズを組み合わせることのできる教材
【考案の詳細な説明】
【考案の詳細な説明】
【技術分野】
【０００１】学校の家庭科で被服製作の実習をする際に使用する教材に関する技術分野
【背景技術】
【０００２】通常エプロン教材を製作する時は、「縫い」と「裁断」の技術を学ぶ事が主な目的である為、生徒個々人が個性を出す事は難しかった。
【考案が解決しようとする課題】
【０００３】したがって、本考案はこうした生徒個々人の個性を活かし、生徒がさらに実習に興味や楽しさを持てるようにした。
【課題を解決する手段】
【０００４】そこで、本考案は生徒が一人一人、自分の考えでエプロンをアレンジできるようにアイロンワッペン（転写シート）やビーズ（付属品）をまとめて添付し、生徒個々人が好みに合わせて、アイロンワッペン（転写シート）やビーズを取捨選択しアレンジする事ができる。
【考案を実施するための最良の形態】
【０００５】本案は、以上のような考え方のもと、生徒がエプロン教材を実習する際に、生徒一人一人が好みに合わせて、アイロンワッペン（転写シート）やビーズを使用してエプロンをアレンジできる実習教材である。
【考案の効果】
【０００６】この考案により、従来単調であったエプロン製作実習が、生徒一人一人が自分の好みやイメージ合ったエプロンにアレンジする事ができる。したがって、生徒の興味や楽しさがこの教材を使う事でさらに増大する。
【図面の簡単な説明】
【図１】従来のエプロンの完成図
【図２】本考案のエプロンの完成図
【図１】
0003115928.tif 000003
【図２】
0003115928.tif 000004
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
学校の家庭科で被服製作の実習をする際の教材である「エプロン」に付属品の中からアイロンワッペンやビーズを生徒が自分の好みに合わせて、組み合わせることのできるエプロン
【手続補正２】
【補正対象書類名】明細書
【補正対象項目名】全文
【補正方法】変更
【補正の内容】
【考案の詳細な説明】
【技術分野】
【０００１】学校の家庭科で被服製作の実習をする際に使用する教材に関する技術分野
【背景技術】
【０００２】通常エプロン教材を製作する時は、「縫い」と「裁断」の技術を学ぶ事が主な目的である為、生徒個々人が個性を出す事は難しかった。
【考案が解決しようとする課題】
【０００３】したがって、本考案はこうした生徒個々人の個性を活かし、生徒がさらに実習に興味や楽しさを持てるようにした。
【課題を解決する手段】
【０００４】そこで、本考案は生徒が一人一人、自分の考えでエプロンをアレンジできるようにアイロンワッペンやビーズをまとめて添付し、生徒個々人が好みに合わせて、アイロンワッペンやビーズを取捨選択しアレンジする事ができる。
【考案を実施するための最良の形態】
【０００５】本案は、以上のような考え方のもと、生徒がエプロン教材を実習する際に、生徒一人一人が好みに合わせて、アイロンワッペンやビーズを使用してエプロンをアレンジできる実習教材である。
【考案の効果】
【０００６】この考案により、従来単調であったエプロン製作実習が、生徒一人一人が自分の好みやイメージ合ったエプロンにアレンジする事ができる。したがって、生徒の興味や楽しさがこの教材を使う事でさらに増大する。
【図面の簡単な説明】
【０００７】
【図１】従来のエプロンの完成図
【図２】本考案のエプロンの完成図
(57)【要約】      （修正有）【課題】二輪車用ボディーカバーを取り付けた時、風等で飛んでいかない為に二輪車用ボディーカバーの裾を紐状の物で縛ることにより、手や足が汚れる心配が無く、手軽に装着出来る。【解決手段】二輪車後部荷台に取り付けたリアーボックスや箱にフィットするように、ボディーカバーを大きく製作する。二輪車用ボディーカバーの裾部分を紐状の物が容易に通るように加工し、紐状の物を通して（ニ）部分をくくり、（ロ）の部分で（ハ）のストッパーを固定しながら（ニ）の部分を引っ張ることによりボディーカバーの裾を簡単に縛ることができる。【選択図】図１
0003115929.tif 000002
【実用新案登録請求の範囲】
【請求項１】
リアーボックスや箱を二輪車後部荷台に取り付けた場合そのリアーボックスや箱の部分を覆うようにボディーカバーを製作し、地面までもしくは地面近くまで二輪車をすっぽりカバー出来る。
【請求項２】
二輪車用ボディーカバーの裾部分を（図２）のように紐状の物が容易に通るように加工し、紐状の物を通して（ニ）部分をくくり、（ロ）の部分で（ハ）のストッパーを固定しながら（ニ）の部分を引っ張ることによりボディーカバーの裾を簡単に縛ることができる。
【考案の詳細な説明】
【技術分野】
【０００１】本製品は二輪車や自転車、後部荷台にリアーボックスや箱を取り付けた二輪車に装着し、雨やほこりから守るのに適した物であり、狭い場所での取り付け、手を汚さず簡単にできる物である。
【背景技術】
【０００２】従来は後部荷台にリアーボックスや箱を取り付けた二輪車用ボディーカバーは無く、後部荷台にリアーボックスや箱を取り付けていない二輪車にボディーカバーを装着する時も風でボディーカバーが飛ばされないようにする為に二輪車の下で紐をくると言う手間がかかり、装着困難だった。
【考案の開示】
【考案が解決しようとする課題】
【０００３】後部荷台にリアーボックスや箱を取り付けた二輪車にボディーカバーを取り付けようとすると後輪部分が見え、下から雨やほこりがかかり、カバー本来の役目が果たされなくなる。そして、従来の二輪車用ボディーカバーでは、しゃがみこんで二輪車の下で紐等をくくらないといけないと言う難点があった。本考案はこの課題を解消する為になされたものである。
【課題を解決するための手段】
【０００４】二輪車後部荷台に取り付けたリアーボックスや箱にフィットしながらも、二輪車後輪の地面に接する辺りまですっぽり覆う大きなボディーカバーを製作する。二輪車用ボディーカバーの裾部分を（図２）のように紐状の物が容易に通るように加工し、紐状の物を通して（ニ）部分をくくり、（ロ）の部分で（ハ）のストッパーを固定しながら（ニ）の部分を引っ張ることによりボディーカバーの裾を簡単に縛ることができる。
【考案の効果】
【０００５】後部荷台にリアーボックスや箱を取り付けた二輪車もそうでない二輪車も地面近くまですっぽりカバーができる。そして、二輪車用ボディーカバーの裾を（図２）のように紐状の物を通す事により、従来前輪と後輪の間でくくっていた紐を結ぶ手間から開放され、手軽に装着出来る。
【考案を実施するための最良の形態】
【０００６】二輪車後部荷台に取り付けたリアーボックスや箱にフィットしながらも、二輪車後輪の地面に接する辺りまですっぽり覆う大きなボディーカバーを製作する。
ボディーカバーの裾の部分を（図２）のように紐状の物を通す。二輪車にボディーカバーを装着し、（ハ）の部分を固定し、（ニ）の部分を引っ張ると二輪車の裾部分が収縮し、（イ）と（ロ）の間が短くなり、ボディーカバーが風等で飛んでいかないようにしっかり装着出来る。ボディーカバーを取り外す時は（ハ）の部分を緩め、（ホ）の部分を手前に引っ張れば裾の部分が広がり、ボディーカバーを容易に外す事が出来る。そして、このボディーカバーの裾に紐状の物を通す案は、二輪車後部荷台にリアーボックスや箱を取り付けた場合のボディーカバーや、従来のボディーカバーでも使用可能である。
【産業上の利用可能性】
【０００７】この考案は、手足が汚れず、無理な姿勢をすること無く、後部荷台にリアーボックスや箱を取り付けた二輪車、そうでない二輪車に装着するボディーカバーに関するものである。
【図面の簡単な説明】
【０００８】
【図１】ボディーカバーを装着した時の側面図
【図２】（Ｃ）部分に通している紐の構造図
【図３】二輪車にボディーカバーを装着した時の後部から見た図
【図４】Ｅの部分を拡大した図
【符号の説明】
【０００９】  （イ）本体ボディーカバーの先端
（ロ）本体ボディーカバーの裾の最後部
（ハ）ストッパー
（ニ）結び目
（ホ）二輪車後部より紐状の物が見える部分
（Ａ）本体ボディーカバー
（Ｂ）車輪
（Ｃ）本体ボディーカバーの裾
（Ｄ）二輪車後部荷台のリアーボックスにフィットする本体ボディーカバーの部分
（Ｅ）図４
【図１】
0003115929.tif 000003
【図２】
0003115929.tif 000004
【図３】
0003115929.tif 000005
【図４】
0003115929.tif 000006
【手続補正書】
【提出日】平成17年7月25日(2005.7.25)
【手続補正１】
【補正対象書類名】実用新案登録請求の範囲
【補正対象項目名】全文
【補正方法】変更
【補正の内容】
【実用新案登録請求の範囲】
【請求項１】
二輪車の後部積載装置にリヤーボックスを取り付けた状態に対応できるよう、カバー後部にゆとりを持たせた袋状のデザインの為、被せた時に二輪車全体をすっぽり覆うことを可能にしたリヤーボックスの有無を問わず裾がめくれ上がらない二輪車用ボディーカバー
【請求項２】
請求項第一項に記載のリヤーボックスの有無を問わず裾がめくれ上がらない二輪車用ボディーカバーの裾を二重に紐が通せれるよう加工し、通した紐の両端を括り、その括った部分と、紐がカバーに入るまでの間にストッパーを取り付け、ストッパーを持ちながら紐の端を引っ張ることによって、ボディーカバーの裾を簡単に縛ることができる構造を特徴としたリヤーボックスの有無を問わず裾がめくれ上がらない二輪車用ボディーカバー
(57)【要約】【課題】首飾り、ブレスレット、アンクレット等のアクセサリーは装飾そのものを引き立たせる為にも連結させる為だけの連結具はデザイン全体美観を損ねることにもなりかねません。しかし、装着がし易く長さ調節機能も優れていているなど勝手が良いことも重要です。そこで市販の連結具に頼らずにその機能を十分に果たし、見た目に余分な物を排除すること。【解決手段】チョーカータイプの首飾り、ブレスレット、アンクレット、ウエストバンド等は帯部分も含めて装飾機能を果たしている部分そのものをそれぞれ連結具や長さ調節の役割を果たし、連結させるための連結具は使わずに余分な部分を排除し、装着時に使用者の体にフィットしデザインの美しさだけをシンプルに引き立たせること。【選択図】  図１
0003115924.tif 000002
【実用新案登録請求の範囲】
【請求項１】
チョーカータイプの首飾り、ブレスレット、アンクレット、ウエストバンド等の帯部分に留金等の市販の連結具を用いず、装飾部分そのものが連結具、長さ調節可能な機能を兼ね備え、見た目にもシンプルな美しさに仕上げることの出来ることを特徴とするバンド。
【請求項２】
上記帯の一方先端部分は芯材にビーズ素材等が通された装飾リングの中に帯を通し帯端と重なる帯部分が飾りカシメで留められていることを特徴とする請求項１記載のバンド。
【請求項３】
使用時に請求項２の帯端の他一方帯端部分を請求項２の装飾リングに通し使用者の装着箇所のサイズに合わせて内側、又は外側に折り返し、折り返した箇所と重なった部分を可動式リングで留めて装着を固定することを特徴とする請求項１記載のバンド。又当該帯端から数ｃｍ部分に柔らかい金属素材を埋め込み芯材とし、装着し易くすることも出来る。
【請求項４】
請求項３記載の可動式リングは花型等の装飾が施される場合があることを特徴とする請求項１記載のバンド。
【考案の詳細な説明】
【技術分野】
【０００１】本考案はチョーカータイプの首飾り、ブレスレット、アンクレット、ウエストバンドに係り、バンドの装飾部分が市販の連結具を用いずに連結機能を果たし、長さ調節も可能なバンド。
【背景技術】
【０００２】一般にバンドタイプのチョーカータイプの首飾り、ブレスレット、アンクレット、ウエストバンドは革製の帯部分の両先端に付いている金属製の連結具で繋いで着用し、着用に際し、特に首飾りは首の後ろ側手で手探りで連結させなければならず、長さ調節出来ないものもあり、長さ調節出来るものは帯部分にいくつか穴を開け数段階の調節しかできないように構成されている。またこのような従来のバンドの連結具は連結の為の連結具であったりして、長さ調節の為の帯穴も全体的な美観を損ねることがある。
【考案が解決しようとする課題】
【０００３】そこで請求項１記載の考案の技術的課題は特に首飾りは使用者が後ろに手を回すことなく連結が出来、長さ調節も帯を折り返すことで好みやサイズに合わせてより細かな調節機能を果たし、使い勝手と機能性の良さを特徴とするバンドを提供することにある。
【０００４】又、請求項２記載の考案の技術的課題は芯材にビーズ等の素材を飾った装飾リングや飾りカシメが技術的課題に加えて装飾品としての役割も担うことを特徴とするバンドを提供することにある。
【０００５】又、請求項５記載の考案の技術的課題は可動式リングは技術的課題に加えて、装飾品としての役割を担うことが可能なことを特徴とするバンドを提供することにある。
【課題を解決するための手段】
【０００６】このような技術的課題解決のため、請求項１記載の考案にあたっては、帯の一端には長さ調節の為の穴は空けずに、帯の折り返し部分とその重なった部分を可動式リングで留めて見た目も美しくさせ、また、首に装着する場合等は見えにくい後部でなく、前部で出来ることで装着や長さ調節を容易にしている。
【産業上の利用可能性】
【０００７】装飾部分が連結具としての兼ねたの役割をする。一体感のある見た目の美しさ。サイズ調節が自由なので使用者の体にフィットする。装着が楽。
【図面の簡単な説明】
【０００８】
【図１】本案の全体図
【図２】連結部分の拡大図
【図３】１の可動式リングに花型の装飾を装着した場合の側面図
【符号の説明】
１は可動式リング
２は飾りカシメ
３は装飾リング
４は帯
５は飾りカシメ側帯端折返し部分
６は可動式リング側帯端折返し部分
７は花型の装飾をした可動式リングの側面
【図１】
0003115924.tif 000003
【図２】
0003115924.tif 000004
【図３】
0003115924.tif 000005
【手続補正書】
【提出日】平成17年6月15日(2005.6.15)
【手続補正１】
【補正対象書類名】実用新案登録請求の範囲
【補正対象項目名】請求項３
【補正方法】変更
【補正の内容】
【請求項３】
使用時に請求項２の帯端の他一方帯端部分を請求項２の装飾リングに通し使用者の装着箇所のサイズに合わせて内側、又は外側に折り返し、折り返した箇所と重なった部分を可動式リングで留めて装着を固定することを特徴とする請求項１記載のバンド。
(57)【要約】【課題】  従来の風味、味覚を損なわず、減塩化され、腐敗，黴等の発生を解消した梅干を提供する。【解決手段】  ウメの果実１ｋｇが、３％〜５％の塩と、酸度８．４の醸造酢１０％との混合により得られる混合液で漬込まれ、果実部が減塩化され、防腐，防黴された果実部となるように形成されることを特徴とする梅干。【選択図】  図１
0003115925.tif 000002
【実用新案登録請求の範囲】
【請求項１】
ウメの果実１ｋｇが、３％〜５％の塩と、酸度８．４の醸造酢１０％との混合により得られる混合液で漬込まれ、果実部が減塩化され、防腐，防黴された果実部となるように形成されることを特徴とする梅干。
【考案の詳細な説明】
【技術分野】
【０００１】  本考案は副食物としての梅干に関するものである。
【背景技術】
【０００２】  梅干は、日本人に欠かすことのできない副食物であると共に、アルカリ食品である。【０００３】  通常、梅干は、ウメの果実１ｋｇに対して、約５／１量にあたる多量の塩を使用して漬け込むので、その塩分含有量は非常に高い。【０００４】  そのため、健康人にとって、塩分の取り過ぎは、高血圧症などの成人病の原因となるので好ましいことではない。【０００５】  そこで、従来より塩漬けした梅の果実を揉み出し、塩抜きして塩分を少なくした梅干が市販されているが、この種の梅干では漬け込む手間が面倒であったり、梅のエキスが少なくなってしまい、梅干本来の風味、味覚を損ない、健康人の食用に適さない梅干となる。また、例えば、直射日光が射す場所等に放置し続けた場合、腐敗、黴等を惹起して食用に適さないような梅干になってしまう等の嫌いがあった。
【考案が解決しようとする課題】
【考案の開示】
【０００６】  本考案は斯る従来の問題点に鑑みなされたもので、詳しくは、本考案は、梅干本来の風味、味覚を損なうことがなく、減塩化を齎し、そして、腐敗および黴の発生等を解消できると共に長期保存にも可能な梅干を確保しようとするものである。
【考案が解決するための手段】
【０００７】  本考案は、ウメの果実１ｋｇが、３％〜５％の塩と、酸度８．４の醸造酢１０％との混合により得られる混合液で漬け込まれ、ウメの果実部を減塩化させ、防腐・防黴させるようにしたことを特徴とする梅干である。
【考案の効果】
【０００８】  本考案は、請求項１記載の解決手段で実施され、以下に記載されるような効果を奏する。
【０００９】  ウメの果実１ｋｇが、３％〜５％の塩と、酸度８．４の醸造酢１０％との混合により得られる混合液で漬け込むようにしたから、適度の塩分含有量を保持し、かつ、醸造酢の有機酸を含む果実部を有する梅干を提供することができる。
【００１０】  従って、従来例のように、塩分の多量摂取によって弊害とされていた高血圧症などの成人病予防等に役立つ梅干を提供することができる。
【００１１】  また、醸造酢の有機酸によって身体の新陳代謝を活発化させ、健康を維持することができる。
すなわち、醸造酢の主成分である酢酸の殺菌力により血液にサラサラ効果を齎すと共に、免疫力を高め、血圧の安定を保つことができる。
【００１２】  また、本考案者の実験によれば、ウメの殺菌力と、醸造酢の殺菌力との相乗効果によって身体内の大腸菌増殖を抑制できること、直射日光の射る状態下でも、防腐・防黴等を齎らす梅干を提供できることが明らかとなった。
【００１３】  然して、本考案によれば、梅干本来の風味、味覚を損なうことなく、アルカリ食品として良質であり、また、健康食品として有利な梅干を提供することができる。
【課題を実施するための最良の形態】
【００１４】  図１は本考案に係る梅干の説明図であり、図面符号１は梅干、２はウメの果実部を示している。
尚、梅干の漬け込みにあたって、適量の赤紫蘇を使用することもできる。
【００１５】  前記梅干１は、ウメの果実１ｋｇを約３％〜５％の塩と、酸度８．４の醸造酢１０％との混合により得られる混合液で漬け込まれ、その製品は、ウメの果実部が減塩化され、防腐、防黴された果実部２を形成する。
【図面の簡単な説明】
【図１】  図１は本考案に係る梅干の説明図
【符号の説明】
１    梅干
２    ウメの果実部
【図１】
0003115925.tif 000003
【手続補正書】
【提出日】平成17年7月16日(2005.7.16)
【手続補正１】
【補正対象書類名】実用新案登録請求の範囲
【補正対象項目名】全文
【補正方法】変更
【補正の内容】
【実用新案登録請求の範囲】
【請求項１】
塩と、醸造酢と、赤紫蘇  がが入った容器と、この容器内で漬け込まれて梅干形態に形成される梅の果実と、からなることを特徴とする梅干。
(57)【要約】      （修正有）【課題】円すいの形を利用しての万人の鼻の穴にあうものを自ら作成することのできる、マスクの補助やマスクの代わりとしての役割を果たすことのできる鼻栓を提供する。【解決手段】中心より切りこみ又はおうぎ形の欠いた円又はだ円をその切りこみやおうぎ形の欠いた部分をふさぐ様にして本体１の様な円すいを作成して鼻の穴へそう入する。そしてその円すいが平面にもどろうとする力を利用して鼻の穴中で固定させる、円すいの形を利用した目だちにくい鼻栓となる。【選択図】図１
0003115927.tif 000002
【実用新案登録請求の範囲】
【請求項１】
中心から切りこみの入った、又は  おうぎ形の欠いた、円やだ円の形を基本とする、通気性、吸湿性に富む平面の暗色の素材を自らの鼻の形に合わせて円すい状に変えて、そう入することができ、マスクの補助や、その代わりとなりうることのできる鼻栓．
【考案の詳細な説明】
【技術分野】
【０００１】本考案は、マスク及び鼻栓に関するものである．
【背景技術】
【０００２】マスクは、周囲の理解が得られない時は、使いづらく、かといって代わりに鼻栓を使うにも、鼻栓は鼻くうを広げすぎたり、外から見て目立つなどあまり実用的なものではなく、又万人の鼻の形にあう、簡易なものではなかった。
【考案の開示】
【考案の解決しようとする課題】
【０００３】マスクでは装着した後に、マスクとほおの間にすき間などが大きいと、ウイルスや花粉などの徴細な粒子に対しては無力となってしまう上、マスク自体も状況によっては使いづらい時があった。かといって今までの鼻栓では万人向けではなく、外から見て目立つものや、生産コストのかかるものもあり、あまり実用的でないという欠点があった。
【課題を解決するための手段】
【０００４】本考案は円やだ円を基本とする通気性、吸湿性に富んだ平面の素材を円の中心から切りこみ又はおうぎ形の欠いた部分を、もつもので、その部分を利用して使用者自ら円すいを作り鼻の穴に円すいの頂点を上としてそう入し固定させる。円すいの特徴を生かし、これまでの、例えば円柱型のもののように鼻くうをあまり広げることもなく、外からもより目立たず、かつ万人の鼻にあう形に自ら作成でき、生産する側にとっても、サック型のものよりも、より低コストで作成可能で、これまでのあまり実用的でなかったという問題点を解決している。
【考案の効果】
【０００５】上述の様にこれまでの円柱型や、サック型とはちがい簡易であり、自ら円すい状のものを作るので自然と自分の鼻の形にあったものになり、あまり鼻くうをおし広げるものではなく、かつ目立ちにくいもので、マスクの補助やその代わり、又突然の鼻血や鼻汁時にも役立つ。又吸湿性の素材を用いているので、例えば点鼻液などをあらかじめそこにつけておけば、そこからの気化により薬の効果を長時間享受することもできる。芳香剤をそこにつけて、気分転換やねむけ防止としての利用も可能である。
【考案を実施するための最良の形態】
【０００６】円やだ円を基本とする吸湿性の暗色の素材に中心から切りこみ、又はおうぎ形を欠いた形状で、使用者の鼻の形に合わせて円すい形をつくり鼻の穴にそう入する．その際素材が重なる部分にシール等の接着性の物をあらかじめつけて固定させてもよい。鼻の形により、円すいの先端をおりまげての使用も考えられる。
【実施例】
【０００７】以下、添付図面に従って実施例を説明する。図１は実際に鼻の穴にそう入する時の円すいで、図２の状態から作成される。
【図面の簡単な説明】
【０００８】
【図１】本考案が実際にそう入される時の図である。ただし円すいの頂点から鼻に入れるものとする。
【図２】円すいを作成する前の状態の図である。
【符号の説明】
【０００９】１  本体
２  切りこみ又はおうぎ形の欠いた部分
３  素材が重なる部分
【図１】
0003115927.tif 000003
【図２】
0003115927.tif 000004
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
通気性、吸湿性に富む素材を用いて、円すい状に形成した鼻栓
(57)【要約】      （修正有）【課題】流し台の三角コーナーを低コストの紙質の材料で製造する事により使い捨てを可能にした使い捨て料理くず入れ三角コーナーの提供。【解決手段】製品の材質を燃える紙質にして値段を安くする事で使い捨てを実現し雑菌が発生する前に手軽に処理する事ができその結果洗う手間がはぶけ清潔な流し台を保てます。【選択図】図１
0003115921.tif 000002
【実用新案登録請求の範囲】
【請求項１】
三角の形や円の形等に関係なく使い捨て、料理くず入れ三角コーナーとして使う製品の商品化の権利
【考案の詳細な説明】
【技術分野】
【０００１】  本発明は従来の三角コーナーを低コストの紙質の材料で製造する事により使い捨てを可能にした製品である。
〔背景技術〕【０００２】  従来の三角コーナーはステンレス製等でできており使い捨てではない。
〔発明の開示〕
〔発明が解決しようとする課題〕【０００３】  従来の三角コーナーはコストが高く使い捨てではないため菌や小蝿が発生しやすく非常に不衛生である。そのためまめに洗わなければならない。
〔課題を解決するための手段〕【０００４】  製品の材質を低コストの燃える紙質で製造する事により使い捨てを実現し、菌や小蝿が発生する前に処理できます。その結果として洗う手間がはぶけます。
〔発明の効果〕【０００５】雑菌や小蝿が発生する前に処理できるので台所の衛生面が非常に向上し常に清潔な流し台を保てます。使い捨てなので洗う時の不快さや手間がはぶけます。従来の三角コーナーには水切りフィルターが必要でしたが使い捨て三角コーナーは燃える材質でそのまま処理できるので水切りフィルターがいらない。
〔発明を実施するための最良の形態〕【０００６】従来の三角コーナーと大差ない形状であるが底面や側面には水はけの為の細かい穴があり紙コップの様に重ねれる形状である。
【図面の簡単な説明】〔図１〕少し斜め上からみた図です。
【図１】
0003115921.tif 000003
【手続補正書】
【提出日】平成17年5月23日(2005.5.23)
【手続補正２】
【補正対象書類名】実用新案登録請求の範囲
【補正対象項目名】全文
【補正方法】変更
【補正の内容】
〔書類名〕実用新案登録請求の範囲
〔請求項１〕
使い捨て料理くず入れ三角コーナー
【手続補正書】
【提出日】平成17年7月28日(2005.7.28)
【手続補正１】
【補正対象書類名】実用新案登録請求の範囲
【補正対象項目名】全文
【補正方法】変更
【補正の内容】
〔書類名〕          実用新案登録請求の範囲
〔請求項１〕
三角形の底面及び前記底面に連なり３つの側面を有し、前記底面及び側面を紙で構成し、前記底面及び側面に水はけのための穴を設けたことを特徴とする三角コーナー。
(57)【要約】【課題】  乳児の沐浴は母親等の育児者が細心の注意を払って行うものですが、育児行為の中でも熟練が必要です。不慣れな者、男女間、手の大きさの違いにも対応可能。沐浴補助用品です。【解決手段】  育児行為の中でも沐浴行為は、熟練が必要ですが、一枚の布を輪にして長手方向の一側縁に２カ所開口部を設け袋状に縫製することにより角々がストッパーの役目を果たし、手の出し入れが容易にでき扱いやすいさらしを用いたことにより、乳児の頭を支えている皮膚感があり沐浴行為者に安心感を与える。不慣れな者、男女間、手の大きさの違いにも対応できるように上記課題を解決した沐浴補助用品です。【選択図】  図３
0003115979.tif 000002
【実用新案登録請求の範囲】
【請求項１】
さらしを用いたことを特徴とする乳児沐浴布。
【請求項２】
袋状にして一側縁に２カ所開口部を設けた請求項１に記載の乳児沐浴布。
【考案の詳細な説明】
【技術分野】
【０００１】  生まれたばかりの乳児の沐浴は、母親等の育児者が細心の注意を払って行うもので、安全に時間内に沐浴するための沐浴補助用品に関するものです。
【背景技術】
【０００２】  乳児の沐浴は、育児者が細心の注意を払って行うものですが、まだ首も座らず肌が滑りやすい乳児を抱きかかえて沐浴行為をする場合、乳児が環境の変化に驚いて予想もつかない動きをしすべり落ちる危険性がある。一般に市販されているものは新生児入浴布でガーゼ地を重ね合わせて縁取りした一枚の布である。この場合、乳児を抱きかかえる時に手が滑る、ズリ下落ちるなど安全に考慮しなければならない。また、乳児の形に型抜きされたスポンジに乳児を置いて沐浴させるのだが、上向きに寝せるため背の部分は洗えず再び抱きかかえるという、一連の行為の過程が煩雑すぎ使い勝手が悪いという問題点がある。【０００３】  特許文献１、乳児入浴用滑り止め腕カバーは、沐浴行為をする者の両手または片手に滑り止め用の手袋状の手カバー及び腕カバーを目的としている。
【特許文献１】実開昭６０−１５８４８８号公報
【考案の開示】
【考案が解決しようとする課題】
【０００４】  生後１カ月位いまでは、細菌感染を防ぐためにも大人と一緒の入浴は避けて、ベビーバスを使用して短時間で沐浴を行います。沐浴行為者は片手で乳児の頭を支え、もう一方の手で体を洗うという熟練が必要な行為ですが、育児者または育児に不慣れな者が沐浴行為をする場合が多く、どのような場合でも安全に配慮し乳児に安心感を与え時間内に行われなければならない。【０００５】  特許文献１、沐浴行為者自身に手カバー及び腕カバーを目的としており、乳児が手足をバタつかせ予想もつかない動きをする場合の問題点がある。
【課題を解決するための手段】
【０００６】  上記問題点を解決するため、請求項１、さらしの特徴である生地が平織りで一重組織のため沐浴時、タオル地のパイル組織より軽くガーゼ地のように手にからむこともなく、吸湿性に富み湯につけても重くならず扱いやすい布を用いたことである。請求項２、図２一枚の布の両端を合わせて縫製し輪に、ほつれ防止のため表と裏を返して合わせた切り口が見えないように少しずらして縫製し、長手方向の一側縁に２か所開口部を設けて周りを丁寧に縫製し縁かがりをし袋状にすることにより角々（かどかど）ができる。開口部から手を挿入し乳児を抱きかかえる場合、角々がストッパーの役目を果たしている。この様な手段を講ずることによって市販されている製品及び特許文献の問題点を補える。
【考案の効果】
【０００７】  本考案品は沐浴行為に不慣れな者、右利き左利き男女間の手の大きさの違いにも対応可能、袋状で角々がストッパーの役目を果たしているため、乳児を抱きかかえる場合手が筒抜けになる危険性がなく、乳児の頭を支えている皮膚感があり沐浴行為者に安心感を与える。また環境の変化に驚いて予想もしない動きをする場合、乳児の上半身にお尻を抱きかかえている手を開口部から抜き、本考案品をかけて落ち着かせることができる。
【考案を実施するための最良の形態】
【０００８】  本考案品を使用するための形態は、沐浴行為者が図１Ａ開口部に左手を挿入し、図３Ｅ親指とＤ人差し指で図４Ｆ乳児の耳の下で頭を支えます。請求項１、図１Ｃさらしを用いたことにより乳児の滑りやすい肌の頭を支えている皮膚感があり沐浴行為者に安心感を与える。図１Ｂ右手を挿入しお尻を抱きかかえます。本考案品が袋状であるため角々（かどかど）がストッパーの役目を果たしており、抱きかかえたり沐浴行為中乳児が首をイヤイヤするように回してもずれる心配もなく、また驚いて手、足をばたつかせる場合、お尻を抱きかかえていた右手を図１Ｂ開口部から抜き、本考案品を乳児の上半身にかけると落ち着かせることができる。沐浴行為者は沐浴中左手で乳児の頭を支えることにより、右手（利き手）が自由になるので乳児を時間内に清潔に洗うことが可能。上記記載は右利きの場合。尚本考案品は右利き左利きの対応が可能であるため左利きの方は図１Ａ開口部に右手と読み替えていただきたい。
【産業上の利用可能性】
【０００９】  生後１カ月位までの乳児は、体の抵抗が弱いので細菌感染を防ぐためにも大人と一緒の入浴は避けてベビーバスを使用しますが、１カ月検診を過ぎたころには身長も体重も増え一般のお風呂に入ります。乳児の沐浴補助用品に限らず、それなりの長さがあるので入浴のさい高齢者、子どもなど握力の弱い人が本考案品の一側縁の２カ所の開口部に手を挿入して左右に動かすだけで自分自身の背中を洗うなど容易にできる。また袋状で開口部があるため脱衣した小物入れに供する事ができる。
【図面の簡単な説明】
【００１０】
【図１】  本考案品の正面図
【図２】  本考案品のあ側の横面図、い側の横面図。
【図３】  開口部に手を挿入し親指と人差し指で乳児の頭を支える使用状況の説明図。
【図４】  親指と人差し指で乳児の耳の下で頭を支えている横から見た図
【符号の説明】
【００１１】      Ａ    手を挿入する開口部
Ｂ    手を挿入する開口部
Ｃ    さらし
Ｄ    人差し指
Ｅ    親指
Ｆ    親指（使用状況図）
【図１】
0003115979.tif 000003
【図２】
0003115979.tif 000004
【図３】
0003115979.tif 000005
【図４】
0003115979.tif 000006
(57)【要約】      （修正有）【課題】折りたたみ式にすることによって、持ち運びが容易になり、身長にかかわらず角度が調整でき、安全にどこででもスイングの正しい軌道を練習できるゴルフの練習機を提供する。【解決手段】折りたたみ式にした事により、軽量で組み立ても簡単持ち運びが便利で練習している人の後方に置き、シャフトプレーンに合わせて角度を調整して、正しいスイングの軌道を身につけるゴルフの練習機。【選択図】図１
0003115975.tif 000002
【実用新案登録請求の範囲】
【請求項１】
メインバーと、このメインバーの中ほどにヒンジを介して先端を連結されると共に、そのメーンバーとの開脚角度が自在に変更可能な支柱とでなしたことを特徴としたゴルフ練習機。
【請求項２】
メインバーの先端に任意の引き出し長さで停止とする延長バーを備えたことを特徴とした請求項１記載のゴルフ練習機。
【考案の詳細な説明】
【技術分野】
【０００１】この考案は、所謂スイングプレーンのゴルフ練習機に関するものである。
【背景技術】
【０００２】従来のスイングプレーンの練習機は、容易に角度を調整できず大型で設置固定式で、誰にでも簡単にスイングプレーンを体感できなかった。
【考案の開示】
【考案が解決しようとする課題】
【０００３】これはつぎのような問題点があった。
従来の練習機は大型で、持ち運びが不便で、ある程度のスペースが必要であった。また自分自身が枠の中に入り、クラブが外枠にあたったりする危険性もあり、どの軌道が正しいのかも、解かりにくかった。ゴルフのスイングも年々変化してきているので、今までのスイングプレーン練習機では全ゴルファーの要望には応えられなかった。ジュニアゴルファーも増加し、背の高さによってスイングブレーンも異なってきている。本考案は、以上のような欠点をなくすためになされたものである。
【課題を解決するための手段】
【０００４】どのような身長の人にも対応できるように、角度を簡単に調整できるようにして、おりたたみ式にして持ち運びを便利にした。
以上の構成よりなる、所謂スイングプレーンのゴルフ練習機である。
【考案の効果】
【０００５】折りたたみ式なので持ち運びが便利、ショットしようとしている人の後ろに置くだけなので安全、構えたシャフトブレーンに合わせて角度を変えることが出来、正しいゴルフのスイングの軌道を教えてくれるゴルフの練習機である。
【考案を実施するための最良の状態】
【０００６】以下、本考案の実施例について説明する。
図１において、メインバー１は下端ａ１を地面Ａにあり、地面Ａに接するこのメインバー１の中ほどにヒンジ３を介して支柱２と連結させ支柱２の下端ｂ１も地面Ａにある。そのメインバー１と支柱２との開脚角度Ｒが自在に変更可能になされたものである。又クラブの長さに応じてメインバー１の先端ａ２を接続してある延長ガイド４から容易に伸ばすことができる。図１のアドレスしている人Ｐの後方にセットしてシャフトプレーン下点ｃ１とシャフトプレーン上点ｃ２を結んだ線（シャフトラインＤ）とメインバー１のａ１とａ２を結んだ線との角度Ｒが平行なるようにする。そのメインバー１に沿ってクラブを上げて振る事により正しい軌道の練習が可能となる。
本考案の角度調整方法は、ねじ式、はめ込み式、ジャバラ方式、その他あらゆる調整方法に適用します。
また、素材はアルミ、プラスチックに限らず軽量であればよい。
【図面の簡単な説明】
【０００７】
【図１】  本考案のゴルフ練習機を示す正面図
【図２】  同上斜視図
【符号の説明】
【０００８】１  メインバー      ２  支柱          ３  ヒンジ
４  延長ガイド      ３  ヒンジ        Ｒ  開脚角度
Ａ  地面            ｂ１  支柱下端    ａ１  メインバー下端
ａ１  メインバー下端              ｐ  アドレスしている人
ｃ１  シャフトプレーン下点        ｃ２  シャフトプレーン上点
Ｄ  シャフトプレーン
【図１】
0003115975.tif 000003
【図２】
0003115975.tif 000004
(57)【要約】【課題】  洗浄を重ねても容易に型くずれせず、握った時に洗浄面に対し均一に力がかかりムラができにくく、作業効率良く行うたわしを提供する。【解決手段】  本考案はメッシュ布に包まれたスポンジをアクリル等の繊維で編んだ織物の中に入れることにより、メッシュがスポンジの型くずれを防ぎ、洗浄を重ねてもメッシュ布がスポンジをしっかりと包み込んでいるので、織物の中でスポンジが片寄ることもない。握った時に洗浄面に対し均一に力がかかりムラができにくいので、作業のスピードが上がり時間の短縮となる。【選択図】  なし【実用新案登録請求の範囲】
【請求項１】
繊維の表面が粗面構造になっているアクリル繊維などで編み、形成された織物の中にメッシュ布に包まれたスポンジを入れたもので、容易に型くずれしないところを特徴とするたわしである。
【考案の詳細な説明】
【技術分野】
【０００１】  本考案は食器や浴槽などを洗浄する際に、作業がし易くなる事を目的とし、アクリル等の繊維で形成された織物の中にメッシュ布に包まれたスポンジを入れた、たわしに関するものである。
【背景技術】
【０００２】  アクリル等の繊維で編んだ織物だけで形成された、たわしや編んだ織物の中に単にスポンジを入れた、たわしはあった。
【考案の開示】
【考案が解決しようとする課題】
【０００３】  単に繊維で編んだだけのたわしは、食器や浴槽などを洗浄する際に握ると形が容易にくずれてしまい洗浄面に対し均一に力がかかりにくくなり、ムラが出でしまい何度もこすらないと汚れが落ちない等、作業的に非効率であった。また繊維で編んだ織物にスポンジのみ入れた、たわしは洗浄を重ねていくと、スポンジが中で片寄ってしまい形がくずれてしまうことがあった。本考案は前述の欠点を解決しようとするものである。
【課題を解決するための手段】
【０００４】  袋状に編んだメッシュ布の中にスポンジを入れ、糸等を使い袋を閉じる。アクリル等の繊維で袋状に編んだ織物の中にこのメッシュ布に包まれたスポンジを入れ、袋状に編んだ織物の口を閉じ、たわしを形成する。たわし素材としては、繊維の表面が粗面構造になっている、アクリル繊維などを使う
【考案の効果】
【０００５】  アクリル等の繊維で編んだ織物の中にメッシュ布に包まれたスポンジを入れることにより、メッシュがスポンジの型くずれを防ぎ、食器や浴槽などを洗浄する際、握った時に洗浄面に対し均一に力がかかり、ムラができにくいので作業のスピードが上がり、時間の短縮となる。また洗浄を重ねてもメッシュ布がスポンジをしっかりと包み込んでいるので、織物の中でスポンジが片寄ることもないので使い心地が良く、結果的に長く使えるので経済性を高める事にもなる。
【考案を実施するための最良の形態】
【０００６】  スポンジの大きさや形に合わせた袋状に編んだメッシュ布の中にスポンジを入れ、糸等を使い袋を閉じる。このメッシュ布の中に入れたスポンジの形に合わせ、アクリル等の繊維で袋状の織物をつくる。この袋状に編んだ織物の中にメッシュ布に包まれたスポンジを入れ、織物の口を閉じ、たわしを形成する。
【実施例】
【０００７】  以下、添付図面に従って一実施例を説明する。３はメッシュ布袋の中にスポンジを入れ、袋の口を閉じたもの。１は繊維で編んだ袋の中に図２のスポンジを入れた、たわし本体である。２は繊維で編んだ輪で、保管時にたわしを吊り下げられるようにした。
【図面の簡単な説明】
【０００８】
【図１】本考案のスポンジ入りアクリルたわしを示す平面図である。
【図２】スポンジをメッシュ布袋の中に入れたものを示す平面図である。
【符号の説明】
【０００９】  １  たわし本体
２  吊り下げ用輪
３  メッシュ布に入れたスポンジ
【図１】
0003115980.tif 000002
【図２】
0003115980.tif 000003